(57)【特許請求の範囲】
【請求項１】
アクチュエータに装着された磁気ヘッドがハードディスクのパーキング領域に位置する時、そのアクチュエータを回動できないようにロッキングするハードディスクドライブ用アクチュエータラッチにおいて、
前記アクチュエータの一側に備えられ、相互対向した方向に位置する第１、２係止爪を具備した係止部と、
前記アクチュエータがパーキング領域に移動するにつれて前記係止部に挿入されるフック部を具備したロッキング部材であって、該フック部が、前記係止部に挿入された状態で前記アクチュエータが時計方向に回転すれば第１係止爪と干渉される第１フック部と、反時計方向に回転すれば前記第２係止爪と干渉される第２フック部とを有するように構成されたロッキング部材と、
前記ロッキング部材を弾力的に回転自在に支持し、そのロッキング部材の時計方向及び反時計方向の回転に対してどちらも復原力を提供する弾性部材とを含み、
前記第１、２フック部はそれぞれ第１傾斜部及び第２傾斜部よりなっていて、前記第１、２係止爪はそれぞれ前記第１、２フック部に対応する第３傾斜部と第４傾斜部とよりなっていて、
前記アクチュエータが前記ハードディスクへの回転衝撃によりパーキング領域からデータ領域に移動する時は前記第１傾斜部と第３傾斜部とが相互干渉して互いに係止し、前記アクチュエータがデータ領域からパーキング領域に移動する時には第２傾斜部と第４傾斜部とが相互接触して前記アクチュエータを案内することを特徴とするハードディスクドライブ用アクチュエータラッチ。
【請求項２】
アクチュエータに装着された磁気ヘッドがハードディスクのパーキング領域に位置する時、そのアクチュエータを回動できないようにロッキングするハードディスクドライブ用アクチュエータラッチにおいて、
前記アクチュエータの一側に備えられ、第１、２フック部を具備するフック部と、
前記アクチュエータがパーキング領域に移動するにつれて前記フック部を挿入させる係止部を具備したロッキング部材であって、該係止部が、前記フック部を挿入させた状態で前記アクチュエータが時計方向に回転すれば前記第１フック部と干渉される第１係止爪と、反時計方向に回転すれば前記第２フック部と干渉される第２係止爪とを有するように構成されたロッキング部材と、
前記ロッキング部材を弾力的に回転自在に支持し、そのロッキング部材の時計方向及び反時計方向の回転に対してどちらも復原力を提供する弾性部材とを含み、
前記第１、２フック部はそれぞれ第１傾斜部及び第２傾斜部よりなっていて、前記第１、２係止爪はそれぞれ前記第１、２フック部に対応する第３傾斜部と第４傾斜部とよりなっていて、
前記アクチュエータが前記ハードディスクへの回転衝撃によりパーキング領域からデータ領域に移動する時は前記第１傾斜部と第３傾斜部とが相互干渉して互いに係止し、前記アクチュエータがデータ領域からパーキング領域に移動する時には第２傾斜部と第４傾斜部とが相互接触して前記アクチュエータを案内することを特徴とするハードディスクドライブ用アクチュエータラッチ。
【請求項３】
前記ロッキング部材は、所定質量が有する慣性によって前記ハードディスクに加わる線形衝撃に対して、前記ロッキング部材が時計方向または反時計方向に回転しないようにするバランシング部をさらに具備することを特徴とする請求項１または請求項２に記載のハードディスクドライブのアクチュエータラッチ。
【発明の詳細な説明】
【０００１】
【発明の属する技術分野】
本発明はハードディスクドライブに係り、より詳細にはハードディスクドライブのアクチュエータが動作しない時、アクチュエータをパーキングゾーン(Parking Zone)に固定させるハードディスクドライブ用アクチュエータラッチに関する。
【０００２】
【従来の技術】
一般に、ハードディスクドライブはコンピュータの補助記憶装置の一つであり、その内部に備わっているハードディスクにデータを記録したりまたは記録されたデータを再生することによって情報を得る装置である。前記ハードディスクドライブには電磁石の役割をする磁気ヘッドを具備するアクチュエータが設けられている。
【０００３】
このようなハードディスクドライブに電流を印加した時、アクチュエータをパーキングゾーンから外してデータ領域に移動し、これに備わった磁気ヘッドは磁化性質を有するハードディスクと反応しつつハードディスクにデータを記録したりハードディスクに磁気化された状態で記録されたデータを電子信号に変えてデータを読出す。
【０００４】
コンピュータの使用を終了するために電流を遮断した時、スピンドルモーターの電流も遮断され、前記スピンドルモーターにより回転するハードディスクの速度は段々減少する。この時、前記磁気ヘッドはハードディスクの上部で空気の流動により浮揚された状態でディスクの表面に下降する。ところが、前記磁気ヘッドがハードディスク表面に下降すればハードディスクやハードディスクに記録されたデータを損傷させうる。したがって、このような危険を防止するためにハードディスクの上面には前記パーキング領域が備えられている。ここで、前記パーキング領域はデータが記録されていないディスク円板上の一領域であり、磁気ヘッドがハードディスク表面に下降する前にプログラムにより移動して安着されるハードディスク上の一定領域である。
【０００５】
一方、作動待機状態にあるハードディスクドライブに外部から振動や衝撃が加われば、前記のようにパーキング領域に安着している前記磁気ヘッドはハードディスクと接触された状態でパーキング領域を外れてデータ領域に強制的に移動させられる。このようにデータ領域に移動させられた磁気ヘッドはハードディスク表面と接触しつつハードディスク表面はもちろんハードディスクに貯蔵されたデータに損傷を与える。
【０００６】
したがって、前記のような問題が生じることを防止するために、パーキング領域に安着している磁気ヘッドを一定の力で支持して外部の衝撃や振動から磁気ヘッドを動けないようにするためにアクチュエータラッチが使われている。
【０００７】
図１は、従来の米国特許第５,６３６,０９０号明細書に記載されているハードディスクドライブを示す部分斜視図である。
【０００８】
図１を参照すれば、従来のハードディスクドライブ１００はハウジング１１０に回転自在に設けられ、データが記録されるデータ領域１２１とデータが記録されていないパーキング領域１２２とに区分されているハードディスク１２０と、前記ハードディスク１２０に記録された情報を読出したり情報を記録するための磁気ヘッド１３１を前記ハードディスク１２０の希望のトラック位置に移送させるアクチュエータ１３０と、前記アクチュエータ１３０がパーキング領域１２２に位置している時に離脱を防止するためのラッチ１８０とを具備する。
【０００９】
前記アクチュエータ１３０は一端に前記ハードディスク１２０にデータを記録したり再生する磁気ヘッド１３１を装着し、他端に磁気力線を生じるためのコイル１３３が巻回されるボビン部１３４が設けられており、前記ハウジング１１０に設けられた回動軸１３６を中心として回動自在に設けられる。前記ボビン部１３４は、前記ハウジング１１０に設けられる固定子１４０及びヨーク１５０の間に生じる電磁力によって、前記アクチュエータ１３０を前記ハードディスク１２０の希望のトラックに位置させる。
【００１０】
前記ラッチ１８０は前記ハウジング１１０に設けられる回転軸１６１を中心として回動自在に設けられて、一端に前記アクチュエータ１３０の一端に備えられるフィンガ部１３９を拘束するようにラッチホール１６３が備えられており、他端に慣性部材１６２が具備されているロッキング部材１６０と、前記ロッキング部材１６０に連結されて弾性力を与えるスプリング１７０とより構成される。
【００１１】
前記のような構成で、前記アクチュエータ１３０が前記ハードディスク１２０の上を移動する場合や外部から回転衝撃を受けない場合には、前記フィンガ部１３９が前記スプリング１７０によって弾性バイアスされている。したがって、前記アクチュエータ１３０は前記ラッチホール１６３によって拘束されないので、前記アクチュエータ１３０はパーキング領域１２２を外れてデータ領域１２１に移動しつつ記録されたデータを読出したりデータを記録する。
【００１２】
一方、前記アクチュエータ１３０がパーキング領域１２２に位置している時、前記ハードディスク１２０が外部から図面を基準として時計方向の回転衝撃を受ければ、前記アクチュエータ１３０は回転慣性力によって反時計方向に回転する。また、前記アクチュエータ１３０より敏感に反応する前記ロッキング部材１６０も反時計方向に回転して前記フィンガ部１３９が前記ラッチホール１６３に嵌め込まれて拘束される。したがって、前記アクチュエータ１３０が前記パーキング領域１２１を外れることが防止される。
【００１３】
しかし、前記ハードディスク１２０に図面を基準として反時計方向の回転衝撃が加わった時、前記アクチュエータ１３０は回転慣性力によって時計方向に回転し、前記ロッキング部材１６０も時計方向に回転する。したがって、前記ラッチホール１６３が前記フィンガ部１３９を拘束できない問題点がある。
【００１４】
図２は、ランプを有する従来のLoad-Unloadハードディスクドライブを示す平面図である。
図２を参照すれば、ハードディスクドライブ２００はハードディスク２１０、アクチュエータ２３０、及びラッチ２８０を具備している。
【００１５】
前記ハードディスク２２０は、データを記録できるデータ領域２２２とデータを記録できないパーキング領域２２１とに分れている。
【００１６】
前記アクチュエータ２３０は前記ハウジング２１０に設けられる回動軸２３５に回動自在に設けられ、一端に磁気ヘッド２３１が備えられており、他端にコイル２３３が巻回されるボビン部２３４が備えられている。前記ボビン部２３４は前記ハウジング２１０に設けられている固定子２５０との間に電磁力を生じて、前記アクチュエータ２３０を前記ハードディスク２２０の希望のトラックに位置させる。一方、前記ボビン部２３４の一側にはロッキング部材２６０のフック部２６１と噛み合うフィンガ部２３７が備えられており、他側には固定子２５０に設けられる磁石ラッチ２４０に対応する磁石部２３６が備えられている。
【００１７】
一方、前記ハードディスク２２０に隣接してランプ２９０が前記ハウジング２１０に設けられている。前記ランプ２９０には前記アクチュエータ２３０がパーキング時に前記磁気ヘッド２３１が安着する。
【００１８】
前記ラッチ２８０は一端にフック部２６１が備えられており、他端にスプリング２７０に連結され、前記ハウジング２１０に設けられている回転軸２６３に嵌め込まれて回動自在に設けられるロッキング部材２６０と、前記ロッキング部材２６０に弾性力を提供するスプリング２７０と、前記フック部２６１と噛み合うように前記ボビン部２３４に備えられているフィンガ部２３７とを含む。
【００１９】
前記のような構成において、外部から衝撃されない状態または正常駆動時は前記ラッチ２８０のフック部２６３が前記フィンガ部２３７を拘束しない。この時、前記アクチュエータ２３０は、前記磁石ラッチ２４０と磁石部２３６との間の力にまさって前記ハードディスク２２０のデータ領域２２２の上を移動しつつデータを記録したり記録されたデータを再生する。
【００２０】
一方、外部から弱い衝撃を受ける時には、前記磁石部２３６と前記磁石ラッチ２４０との間に作用する力によって前記アクチュエータ２３０はパーキング領域２２１を外れられない。しかし、外部から強い衝撃を受けた場合に、この衝撃は前記磁石ラッチ２４０と磁石部２３６との間に作用する力よりも大きい。したがって、前記ハードディスク２２０に図面を基準として時計方向の回転衝撃が作用した時、前記アクチュエータ２３０は反時計方向に回転してパーキング領域２２１から離脱することがある。また、前記ロッキング部材２６０も回転慣性力によって反時計方向に回転して前記フック部２６１が前記フィンガ部２３７と噛み合って、前記アクチュエータ２３０はパーキング領域２２１から離脱されることが防止される。
【００２１】
そして、外部の回転衝撃が消えれば、前記ロッキング部材２６０は前記スプリング２７０の弾性復原力により元の位置に復帰して前記フィンガ部２３７は前記フック部２６１から拘束が解除される。
【００２２】
前記のような構成において、ハードディスクドライブ２００が外部から時計方向の強い回転衝撃を受ける場合、前記アクチュエータ２３０は反時計方向に回転慣性力を受け、ラッチ２８０はアクチュエータ２３０より敏感に反時計方向に回転慣性力を受ける。したがって、ラッチ２８０がアクチュエータ２３０を拘束してアクチュエータ２３０がパーキング領域２２１から外れられない。
【００２３】
ところで、ハードディスクドライブ２００が反時計方向に強い回転衝撃を受ける場合、前記アクチュエータ２３０は時計方向の回転慣性力を受けるのでパーキング領域２２１から外れないが、前記アクチュエータ２３０とアクチュエータの動作範囲を限定するように設けられたストッパ２８０との間に蓄積されていた反発力によって反時計方向の回転力を受けてパーキング領域２２１から離脱しうる。この時、ラッチ２８０はアクチュエータ２３０を拘束できないので、アクチュエータ２３０に装着されている磁気ヘッド２３１がハードディスク２２０の上を浮上しないままでデータ領域２２２に強制的に移動させられ、ディスク表面に物理的損傷を招いてデータを損傷させる問題点がある。
【００２４】
【発明が解決しようとする課題】
本発明は前記問題点を勘案したものであり、外部から加わる回転衝撃の方向に関係なくアクチュエータがパーキングゾーンから離脱することを防止するためのその構造が改善されたラッチを提供することにその目的がある。
【００２５】
【課題を解決するための手段】
前記目的を達成するために本発明のハードディスクドライブ用アクチュエータラッチは、アクチュエータに装着された磁気ヘッドがハードディスクのパーキング領域に位置する時、そのアクチュエータを回動できないようにロッキングするハードディスクドライブ用アクチュエータラッチにおいて、前記アクチュエータの一側に備えられ、相互対向した方向に位置する第１、２係止爪を具備した係止部と、前記アクチュエータがパーキング領域に移動するにつれて前記係止部と結合され、結合された状態で前記アクチュエータが時計方向に回転すれば第１係止爪と干渉され、反時計方向に回転すれば前記第２係止爪と干渉されるフック部を具備したロッキング部材と、前記ロッキング部材を弾力的に回転自在に支持し、そのロッキング部材の時計方向及び反時計方向の回転に対してどちらも復原力を提供する弾性部材とを含む。
【００２６】
本発明の他の特徴によれば、アクチュエータラッチは、アクチュエータに装着された磁気ヘッドがハードディスクのパーキング領域に位置する時、そのアクチュエータを回動できないようにロッキングするハードディスクドライブ用アクチュエータラッチにおいて、前記アクチュエータの一側に備えられ、第１、２フック部を具備するフック部と、前記アクチュエータがパーキング領域に移動するにつれて前記フック部と結合され、結合された状態で前記アクチュエータが時計方向に回転すれば前記第１フック部と干渉され、反時計方向に回転すれば前記第２フック部と干渉される係止部を具備したロッキング部材と、前記ロッキング部材を弾力的に回転自在に支持し、そのロッキング部材の時計方向及び反時計方向の回転に対してどちらも復原力を提供する弾性部材とを含む。
【００２７】
【発明の実施の形態】
以下、添付した図面を参照して本発明の望ましい実施形態に対して詳細に説明する。
【００２８】
図３は、本発明の実施形態に係るアクチュエータラッチが適用されたハードディスクドライブを示す平面図、図４は、図３のアクチュエータラッチを拡大示す拡大図、図５Ａは、図３に示すＡ方向から見た側面図、図５Ｂは、Ｂ−Ｂ’線による断面図である。図３で、説明の便宜のためにボビン部３４７上に設けられる固定子３５１とヨーク３５２とは省略し、図５Ａ及び図５Ｂでは固定子３５１とヨーク３５２とが設けられた状態を示した。
【００２９】
図３を参照すれば、ハードディスクドライブ３００はベース３１０と、前記ベース３１０上に設けられたスピンドルモーター３３０によって回転自在に設けられてデータを記録したり貯蔵するデータ領域３２１と、データを記録できないパーキング領域３２２とに分れているハードディスク３２０と、前記ベース３１０に設けられた回動軸３４１に対して回転自在に設けられ、これに備わった磁気ヘッド３４３を前記ハードディスク３２０の上を移動させつつデータを読出したり記録するアクチュエータ３４０と、前記アクチュエータ３４０がハードディスク３２０上を移動できるように磁気力を生じる固定子部３５０と、前記アクチュエータ３４０の回動範囲を制限するストッパ３７０及び、前記アクチュエータ３４０がパーキング領域３２２にある時、外部の回転衝撃が前記ハードディスクドライブ３００に加わるにつれて前記アクチュエータ３４０が回転することを拘束してパーキング領域３２２を外れることを防止するラッチ３８０とを具備する。
【００３０】
前記アクチュエータ３４０は、磁気ヘッド３４３を支持するサスペンション部３４４と、ベース３１０に備えられた回動軸３４１に対してピボット軸受３４２を介在して回転自在に結合されたスイングアーム３４５と、電磁力を生じるためのコイル３４６が巻回されるボビン部３４７とを具備する。
【００３１】
前記固定子部３５０は、磁気力線を生じる固定子３５１と磁路を形成するヨーク３５２とより構成され、前記ボビン部３４７と相互作用して前記アクチュエータ３４０がハードディスク３２０の上を移動できるようにする。
【００３２】
図４、図５Ａ及び図５Ｂを参照すれば、前記ラッチ３８０はアクチュエータ３４０の一端に備えられ、所定間隔をおいて互いに向い合うように形成された複数の係止爪３４８ａ、３４８ｂを有する係止部３４８と、一端に前記係止爪３４８ａ、３４８ｂと選択的に結合されることによって前記アクチュエータ３４０の回転を拘束できるようにフック部３９２が備えられており、他端には所定質量を有してその質量慣性によって平衡を維持するバランシング部３９４が備えられており、前記ベース３１０に設けられた回転軸３９１に回動自在に設けられるロッキング部材３９０を備える。
【００３３】
前記フック部３９２は、第１フック部３９２ａと第２フック部３９２ｂとが相互対称に備えられており、前記第１フック部３９２ａと第２フック部３９２ｂとは各々第１傾斜部３９３ａ，３９３ｂ及び第２傾斜部３９３ｃ，３９３ｄよりなっている。これに対して、前記係止部３４８は、前記第１フック部３９２ａと第２フック部３９２ｂと結合するように第１係止爪３４８ａと第２係止爪３４８ｂとを具備している。そして、前記第１係止爪３４８ａと第２係止爪３４８ｂとは各々前記第１傾斜部３９３ａ，３９３ｂ及び第２傾斜部３９３ｃ，３９３ｄに対応して、第３傾斜部３４９ａ，３４９ｂと第４傾斜部３４９ｃ，３４９ｄとが備えられている。この時、前記第１傾斜部３９３ａ，３９３ｂと第３傾斜部３４９ａ，３４９ｂとは同じ傾斜角を有し、前記第２傾斜部３９３ｃ，３９３ｄと第４傾斜部３４９ｃ，３４９ｄとは同じ傾斜角を有する。
【００３４】
したがって、前記第１フック部３９２ａは第１係止爪３４８ａと干渉され、第２フック部３９２ｂは第２係止爪３４８ｂと干渉される。すなわち、前記第１フック部３９２ａが第１係止爪３４８ａと干渉される時、前記第１傾斜部３９３ａは第３傾斜部３４９ａと結合する。また、第２フック部３９２ｂが第２係止爪３４８ｂと干渉される時も、前記第１傾斜部３９３ｂは第３傾斜部３４９ｂと結合する。
【００３５】
この時、前記フック部３９２が選択的に第１、２係止爪３４８ａ、３４８ｂと結合されることは外部の回転衝撃の方向による。すなわち、前記ハードディスクドライブ３００に図面を基準として時計方向の回転衝撃が加わる場合には前記ロッキング部材３９０は回転慣性力によって反時計方向に回転し、前記アクチュエータ３４０も反時計方向に回転して前記第２フック部３９２ｂが第２係止爪３４８ｂと噛み合う。反対に、前記ハードディスクドライブ３００に図面を基準として反時計方向の回転衝撃が加わる場合には、前記ロッキング部材３９０は回転慣性力によって時計方向に回転し、アクチュエータ３４０も時計方向に回転して第１フック部３９２ａが第１係止爪３４８ａと噛み合う。
【００３６】
一方、前記アクチュエータ３４０がデータ領域３２１からパーキング領域３２２に移動する時、前記第２傾斜部３９３ｃ，３９３ｄと第４傾斜部３４９ｃ，３４９ｄとは相互干渉して前記アクチュエータ３４０を安定的にパーキング領域３２２に安着させる。すなわち、前記アクチュエータ３４０がパーキング領域３２２に移動する途中で外部的な要因によって前記パーキング領域３２２に移動することが妨害されても、前記第２傾斜部３９３ｃ，３９３ｄが第４傾斜部３４９ｃ，３４９ｄに接触して干渉することによってパーキング領域３２２に安着するように前記アクチュエータ３４０を案内するので機構的な誤動作がおきることが防止される。
【００３７】
また、前記第１係止爪３４８ａと第２係止爪３４８ｂとの間隔は、前記フック部３９２が前記第１係止爪３４８ａや第２係止爪３４８ｂにひっかからずに挿入されるように構成されることが望ましい。
【００３８】
前記のような構成で、前記係止部３４８はプラスチック射出で加工が容易で製造コストが安い長所がある。また、その断面形状によってその形状を変形応用できる。すなわち、前記係止部３４８の断面形状を例えば菱形に変更しても同じ動作を得られる。
【００３９】
前記バランシング部３９４は前記ロッキング部材３９０が平衡状態、すなわち、前記フック部３９２が前記第１係止爪３４８ａと第２係止爪３４８ｂとの中心に位置している状態を維持させる役割をする。これは前記バランシング部３９４が有している質量慣性を用いて線形衝撃が作用した時、その自体の質量慣性によって衝撃を吸収することによって前記ロッキング部材３９０が回転せずに平衡状態を維持するようにする役割をする。特に、前記ロッキング部材３９０が重力方向に対して直角に位置している時、その自体の重量によって重力方向に回転せずに平衡状態を維持する役割をする。
【００４０】
また、前記ラッチ３８０は弾性手段３９５と固定部材３９６とを具備する。前記弾性手段３９５は、前記ロッキング部材３９０が時計方向または反時計方向に回転する場合に元の平衡位置に復帰させるものであり、一端はロッキング部材３９０に連結され、他端はベース３１０に設けられた固定部材３９６に連結される。すなわち、回転する方向に弾性バイアスされて弾性変形エネルギーを貯蔵して回転衝撃が消えれば前記ロッキング部材３９０を元の平衡位置に復帰させる。
【００４１】
本実施形態では前記弾性手段３９５としてコイルスプリングが使われたが、これと同じ機能を行えるものであれば多様な変形が可能である。例えばトーションスプリングやマグネットスチールボールスプリングを使用できる。
【００４２】
前記のような構成を有する本発明の実施形態に係るハードディスクドライブのラッチの動作を説明する。
【００４３】
図６は、ハードディスクドライブに回転衝撃が作用しなかった時のアクチュエータラッチの状態を示す平面図、図７は、ハードディスクドライブに反時計方向の回転衝撃が作用した時のアクチュエータラッチの状態を示す平面図、図８は、ハードディスクドライブに時計方向の回転衝撃が作用した時のアクチュエータラッチの状態を示す平面図である。
【００４４】
図６を参照すれば、前記アクチュエータ３４０はパーキング領域３２２を外れてデータ領域３２１に位置している。これは、前記ロッキング部材３９０が前記係止部３４８と噛み合っておらず前記アクチュエータ３４０を拘束しないからである。したがって、前記アクチュエータ３４０は、ボビン部３４７と固定子３５１及びヨーク３５２との間に生じる電磁力によって前記ハードディスク３２０上を移動しつつ磁気ヘッド３４３がデータを読出したりデータを貯蔵する。
【００４５】
図７を参照すれば、前記ハードディスクドライブ３２０に反時計方向（矢印Ｆ方向）の回転衝撃が作用した時、前記アクチュエータ３４０は回転慣性力によって時計方向（矢印Ｇ方向）に回転する。また、前記ロッキング部材３９０も時計方向（矢印Ｈ方向）に回転する。したがって、前記第１フック部３９２ａの第１傾斜部３９３ａ，３９３ｂと第１係止爪３４８ａの第３傾斜部３４９ａ，３４９ｂとがそれぞれ相互噛み合って、前記アクチュエータ３４０がそれ以上回転できなくなる。したがって、前記アクチュエータ３４０はパーキング領域３２２を離脱できなくなる。
【００４６】
図８を参照すれば、前記ハードディスクドライブ３００に時計方向（矢印Ｃ方向）の回転衝撃が作用した時、前記アクチュエータ３４０は回転慣性力によって反時計方向（矢印Ｄ方向）に回転し、また前記ロッキング部材３９０も反時計方向（矢印Ｅ方向）に回転する。したがって、前記第２フック部３９２ｂの第２傾斜部３９３ｃ，３９３ｄと第２係止爪３４８ｂの第４傾斜部３４９ｃ，３４９ｄとがそれぞれ相互噛み合って、前記アクチュエータ３４０がそれ以上回転できなくなる。一方、前記アクチュエータ３４０は矢印Ｄ方向に回転するにつれて前記ストッパ３７０と接触し、前記アクチュエータ３４０の回転力に対して前記ストッパ３７０に反発力が生じる。この反発力は前記アクチュエータ３４０を時計方向に回転させようとするので、前記アクチュエータ３４０はパーキング領域３２２を離脱できなくなる。
【００４７】
一方、前記ハードディスクドライブ３００に作用した回転衝撃が消えれば、前記弾性手段３９５は前記ロッキング部材３９０が回転するにつれて貯蔵していた弾性エネルギーを用いて前記ロッキング部材３９０を元の位置、すなわち、回転衝撃が加わらない状態に復帰させる。したがって、前記アクチュエータ３４０は前記ロッキング部材３９０の拘束から解除される。そして、前記ロッキング部材３９０は前記バランシング部３９４によって平衡位置を維持する。
【００４８】
図９は、本発明の変形例に係るアクチュエータラッチを採用したハードディスクドライブを示す平面図、図１０は、図９に示したラッチを拡大した図面である。
図９と図１０とを参照すれば、ハードディスクドライブの全体的な構成は図３に示したものと同一であり、ただし、フック部４２０と係止部４３２との構造が互いに変わって備えられている。ここで、同じ参照符号は同じ機能をする同一部材を示す。
【００４９】
フック部４２０は、前記アクチュエータ３４０の一端に備えられ、第１フック部４２０ａと第２フック部４２０ｂとより構成されている。前記第１フック部４２０ａと前記第２フック部４２０ｂとは各々第５傾斜部４２１ａ，４２１ｂと第６傾斜部４２２ａ，４２２ｂとより構成される。
【００５０】
ロッキング部材４３０は、ベース３１０に設けられた回動軸４３１に対して回動自在に設けられ、一端に備えられたバランシング部４３４と、他端に備えられた係止部４３２とを含む。
【００５１】
前記係止部４３２は、ロッキング部材４３０の一端に備えられ、第１係止爪４３２ａと第２係止爪４３２ｂとより構成されている。前記第１係止爪４３２ａと第２係止爪４３２ｂとは各々第７傾斜部４３３ａ，４３３ｂと第８傾斜部４３４ａ，４３４ｂとを具備する。
【００５２】
前記のような構成において、前記フック部４２０と係止部４３２とは外部から作用する回転衝撃の方向によって選択的に噛み合うようになる。すなわち、前記第５傾斜部４２１ａ，４２１ｂは第７傾斜部４３３ａ，４３３ｂと各々結合されて前記アクチュエータ３４０が回転することを防止する。したがって、前記アクチュエータ３４０の回転が拘束されてパーキング領域３２２を外れられなくなる。
【００５３】
【発明の効果】
前述したように、本発明に係るハードディスクドライブ用アクチュエータラッチは、ハードディスクドライブに回転衝撃が時計方向または反時計方向のいずれの方向に加わってもラッチがアクチュエータの回転を拘束し、アクチュエータがパーキング領域を外れられないようにする。したがって、外部回転衝撃によってアクチュエータがハードディスクドライブのデータ領域とすれ違うことによってハードディスクドライブを損傷させることを防止できる効果がある。
【図面の簡単な説明】
【図１】  従来のハードディスクドライブ用アクチュエータラッチを示す部分斜視図である。
【図２】  従来のまた他のハードディスクドライブ用アクチュエータラッチを示す平面図である。
【図３】  本発明の実施形態に係るアクチュエータラッチを採用したハードディスクドライブを示す平面図である。
【図４】  図３に示したアクチュエータラッチを拡大示す拡大図である。
【図５Ａ】  図３に示したＡ方向から見た側面図である。
【図５Ｂ】  図３に示したＢ−Ｂ’線に従う断面図である。
【図６】  本発明の実施形態に係るハードディスクドライブに回転衝撃が作用しなかった時のアクチュエータラッチの状態を示す平面図である。
【図７】  本発明の実施形態に係るハードディスクドライブに反時計方向の回転衝撃が作用した時のアクチュエータラッチの状態を示す平面図である。
【図８】  本発明の実施形態に係るハードディスクドライブに時計方向の回転衝撃が作用した時のアクチュエータラッチの状態を示す平面図である。
【図９】  本発明の実施形態に係るアクチュエータラッチの変形例を示す平面図である。
【図１０】  図９に示したアクチュエータラッチを拡大示す拡大図である。
【符号の説明】
３００  ハードディスクドライブ
３１０  ベース
３２０  ハードディスク
３２１  データ領域
３２２  パーキング領域
３３０  スピンドルモーター
３４０  アクチュエータ
３４１  回動軸
３４２  ピボット軸受
３４３  磁気ヘッド
３４４  サスペンション部
３４５  スイングアーム
３４６  コイル
３４７  ボビン部
３５０  固定子部
３５１  固定子
３５２  ヨーク
３７０  ストッパ
３８０  ラッチ
【図１】
0003880819.tif 000002
【図２】
0003880819.tif 000003
【図３】
0003880819.tif 000004
【図４】
0003880819.tif 000005
【図５Ａ】
0003880819.tif 000006
【図５Ｂ】
0003880819.tif 000007
【図６】
0003880819.tif 000008
【図７】
0003880819.tif 000009
【図８】
0003880819.tif 000010
【図９】
0003880819.tif 000011
【図１０】
0003880819.tif 000012